(57)【要約】 【課題】  電話通話中に着信情報が着信したとき、その着信情報を選択的に捕捉することができ、利便性が向上された電話装置を提供する。【解決手段】  電話通話中に着信情報が着信したとき、電話制御部２は、通話中相手情報が、拒否通話中相手情報と一致するか否かを判断する。一致するとき、電話制御部２は、着信情報を捕捉しない。一致しないとき、電話制御部２は、発信元相手情報が、拒否発信元相手情報と一致するか否かを判断する。一致するとき、電話制御部２は、着信情報を捕捉しない。一致しないとき、電話制御部２は、優先度情報６１に基づいて、各相手の優先度を比較する。着信情報の発信元の相手の優先度が、電話通話中の相手の優先度よりも高いまたは等しいとき、電話制御部２は着信情報を捕捉する。着信情報の発信元の相手の優先度が、電話通話中の相手の優先度よりも低いとき、電話制御部２は着信情報を捕捉しない。【選択図】      図１
2006080881.tif 000002
【特許請求の範囲】
【請求項１】
デジタルデータ通信によって電話通話を行うためのデジタル通話回線を含む複数の通話回線に接続され、複数の通話回線を選択的に用いて電話通話を行う電話装置であって、
着信情報を捕捉する捕捉手段と、
着信情報を捕捉手段によって捕捉させるか否かの判断基準を示す判断基準情報が記憶される記憶手段と、
着信情報の発信元の相手または電話通話中の相手を示す相手情報を検出する検出手段と、
電話通話中にデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御する制御手段とを含むことを特徴とする電話装置。
【請求項２】
前記複数の通信回線には、公衆電話網を介して電話通話を行うためのアナログ通話回線が含まれ、
制御手段は、アナログ通話回線による電話通話中にデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御することを特徴とする請求項１記載の電話装置。
【請求項３】
前記複数の通話回線として、異なるデジタル通話回線に接続され、
制御手段は、第１のデジタル通話回線による電話通話中に第２のデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御することを特徴とする請求項１記載の電話装置。
【請求項４】
着信情報の発信元の相手に対して予め定める応答情報を発信する応答手段をさらに含み、
制御手段は、相手情報が判断基準情報を満たさないとき、応答手段によって予め定める応答情報を発信させることを特徴とする請求項１〜３のいずれか１つに記載の電話装置。
【請求項５】
前記予め定める応答情報は、任意に設定可能であることを特徴とする請求項４記載の電話装置。
【請求項６】
記憶手段に記憶される判断基準情報は、電話通話中であっても捕捉手段によって着信情報を捕捉させる１または複数の着信情報の発信元の相手を示す許可発信元相手情報を含み、
制御手段は、着信情報の発信元の相手を示す発信元相手情報が、許可発信元相手情報と一致するとき、相手情報が判断基準情報を満たすものとし、着信情報を捕捉させるように捕捉手段を制御することを特徴とする請求項１〜５のいずれか１つに記載の電話装置。
【請求項７】
記憶手段に記憶される判断基準情報は、電話通話中は捕捉手段によって着信情報を捕捉させない１または複数の着信情報の発信元の相手を示す拒否発信元相手情報を含み、
制御手段は、着信情報の発信元の相手を示す発信元相手情報が、拒否発信元相手情報と一致するとき、相手情報が判断基準情報を満たさないものとし、着信情報を捕捉させないように捕捉手段を制御することを特徴とする請求項１〜５のいずれか１つに記載の電話装置。
【請求項８】
記憶手段に記憶される判断基準情報は、電話通話中であっても捕捉手段によって着信情報を捕捉させる１または複数の電話通話中の相手を示す許可通話中相手情報を含み、
制御手段は、電話通話中の相手を示す通話中相手情報が、許可通話中相手情報と一致するとき、相手情報が判断基準情報を満たすものとし、着信情報を捕捉させるように捕捉手段を制御することを特徴とする請求項１〜５のいずれか１つに記載の電話装置。
【請求項９】
記憶手段に記憶される判断基準情報は、電話通話中は捕捉手段によって着信情報を捕捉させない１または複数の電話通話中の相手を示す拒否通話中相手情報を含み、
制御手段は、電話通話中の相手を示す通話中相手情報が、拒否通話中相手情報と一致するとき、相手情報が判断基準情報を満たさないものとし、着信情報を捕捉させないように捕捉手段を制御することを特徴とする請求項１〜５のいずれか１つに記載の電話装置。
【請求項１０】
記憶手段に記憶される判断基準情報は、予め定められる複数の相手のそれぞれの優先度および前記予め定められる複数の相手以外の相手の優先度を示す優先度情報を含み、
制御手段は、着信情報の発信元の相手に関する優先度情報と電話通話中の相手に関する優先度情報とを用いて、各相手の優先度を比較して、相手情報が判断基準情報を満たすとき、着信情報を捕捉させ、相手情報が判断基準情報を満たさないとき、着信情報を捕捉させないように捕捉手段を制御することを特徴とする請求項１〜５のいずれか１つに記載の電話装置。
【請求項１１】
制御手段は、着信情報の発信元の相手の優先度が電話通話中の相手の優先度よりも高いとき、相手情報が判断基準情報を満たすものとし、着信情報を捕捉させるように捕捉手段を制御することを特徴とする請求項１０記載の電話装置。
【請求項１２】
制御手段は、着信情報の発信元の相手の優先度が電話通話中の相手の優先度よりも低いとき、相手情報が判断基準情報を満たさないものとし、着信情報を捕捉させないように捕捉手段を制御することを特徴とする請求項１０記載の電話装置。
【請求項１３】
制御手段は、着信情報の発信元の相手の優先度と電話通話中の相手の優先度とが等しいとき、相手情報が判断基準情報を満たすものとし、着信情報を捕捉させるように捕捉手段を制御することを特徴とする請求項１０記載の電話装置。
【請求項１４】
制御手段は、着信情報の発信元の相手の優先度と電話通話中の相手の優先度とが等しいとき、相手情報が判断基準情報を満たさないものとし、着信情報を捕捉させないように捕捉手段を制御することを特徴とする請求項１０記載の電話装置。
【請求項１５】
電話通話中にデジタル通話回線を介して着信情報が着信したときに着信情報を捕捉手段によって捕捉させるか否かを指示する指示情報が入力される入力手段をさらに含み、
制御手段は、入力手段によって指示情報が入力されたとき、前記指示情報に基づいて、着信情報を捕捉手段によって捕捉させるか否かを判断することを特徴とする請求項１〜１４のいずれか１つに記載の電話装置。
【請求項１６】
着信情報を捕捉手段によって捕捉させるか否かの判断結果を通知する通知手段をさらに含み、
制御手段は、着信情報を捕捉手段によって捕捉させるか否かを判断したとき、通知手段によって判断結果を通知させることを特徴とする請求項１〜１５のいずれか１つに記載の電話装置。
【請求項１７】
着信情報を捕捉手段によって捕捉させるか否かの判断結果を通知する通知手段をさらに含み、
制御手段は、着信情報を捕捉手段によって捕捉させると判断したとき、通知手段によって判断結果を通知させ、着信情報を捕捉手段によって捕捉させないと判断したとき、通知手段によって判断結果を通知させないことを特徴とする請求項１〜１５のいずれか１つに記載の電話装置。
【発明の詳細な説明】
【技術分野】
【０００１】
本発明は、デジタルデータ通信によって電話通話を行うためのデジタル通話回線に接続される電話装置に関し、詳しくは、デジタル通話回線を含む複数の通話回線に接続される電話装置に関する。
【背景技術】
【０００２】
従来から、電話装置は基本的に発呼側と被呼側との二者間で通話を行うために利用されている。ＰＳＴＮと略称される公衆電話網（Public Switched Telephone Network）では、発呼側と被呼側とを、交換機によって選択的にそれぞれ接続する。発呼側および被呼側の電話装置と交換機との間は、加入者線とよばれる信号線で個別に接続され、ベースバンドのアナログ信号で通話が行われる。
【０００３】
近年、インターネットなどのデジタル通信網が発達し、ＶｏＩＰ（Voice over
Internet Protocol）を用いて、電話通話を行うことも可能になっている。インターネットを介する電話通話では、インターネットに接続されているサーバで、通信相手をＩＰアドレスによって特定するようにしている。インターネット内でのデータ通信は、電話通話に要する通信帯域に比較して充分に広帯域で行うことができる。サーバと電話通話のための端末との通信帯域も、ブロードバンド化された通信線を使用すれば、充分に広帯域で行うことができる。この通信は、多重化することも比較的容易であり、物理的には単一の通信線に、複数の通話回線を収容することもできる。
【０００４】
さらに、ＡＤＳＬ（Asymmetric Digital Subscriber Line）などのｘＤＳＬ技術で、ＰＳＴＮの加入者線に高周波のデジタル信号を重畳し、アナログ通話回線と、複数のデジタル通話回線とを収容することも可能になっている。また、ＦＴＴＨ（Fiber To The Home）、ＦＴＴＢ（Fiber To The Building）などの光ファイバ技術で、より安定してより多くの複数のデジタル通話回線を収容することも容易になっている。
【０００５】
従来のアナログ電話システムでは、いわゆる「キャッチホン（登録商標）」サービスが広く利用されている。「キャッチホン」サービスでは、通話中に新たな着信が発生する場合、いったん交換機にて着信を保留しておき、通話中の着信者に対して通知のための音声信号を通話路に重畳することによって着信があったことを知らせる。新たな着信に応答したい場合は、着信者はフッキング操作により交換機に指示を与える。交換機は、継続中の通話を保留し、保留していた着信を接続して通話を開始させる。
【０００６】
また、統合デジタル通信網（Integrated Services Digital Network）など、１本の回線に少なくとも２つの通話チャネルを有しているデジタル回線を使用し、１つの端末で複数の通話回線を利用可能なものの場合、上記アナログ電話システムと同様の「コールウェイティング」サービスも広く利用されている。一方で、いわゆる「擬似キャッチホン」、「擬似コールウェイティング」などという機能を有する電話装置も広く利用されている。これらの機能を有する電話装置では、上記アナログ電話システムにて交換機が行っていた機能を端末側にて行うことができる。
【０００７】
これらのいわゆる「キャッチホン」サービスでは、通話中に着信があった場合は、着信者には無条件で着信通知信号が与えられ、また、発信者には無条件に呼び出し信号が与えられる。
【０００８】
また、アナログ電話システム上では、通話中に新たな着信が発生する場合、いったん交換機にて着信を受け、伝言を記録することができ、該通話が終了した後に交換機からの呼び返しが行われて通話中の着信があった旨を伝える、いわゆる「キャッチホンＩＩ」サービスも広く利用されている。「キャッチホンＩＩ」サービスでは、通話中の着信者には着信通知信号を与えることも、与えないことも可能である。
【０００９】
特許文献１に示される技術を用いれば、電話をかけた相手が第三者と通話中である場合に、伝言を入力することができる上記「キャッチホンＩＩ」サービスと類似の機能を交換機ではなく端末にて実現することができる。
【００１０】
特許文献２に示される技術を用いれば、通話中などで音声通話が不可能である場合には、音声通話が不可能である旨のメッセージを発信元へ出力するといった処理を着信応答手段により実行することができる電話端末を実現することができる。
【００１１】
【特許文献１】特開平７−１１５４６９号公報
【特許文献２】特開２００４−１２８５５３号公報
【発明の開示】
【発明が解決しようとする課題】
【００１２】
従来の「キャッチホン」および「キャッチホンＩＩ」、特許文献１のような音声通話システム、特許文献２のような電話端末では、通話中に着信があった場合、通話中の相手および発信者がどのような相手であっても、一律に動作が決まってしまっている。
【００１３】
たとえば「キャッチホン」サービスでは、重要な顧客と商談中であっても、間違い電話や重要ではない業務連絡などが着信した場合、着信通知信号が入るため、重要な商談に対する集中力がそがれてしまう。逆に、「キャッチホンＩＩ」サービスでは、着信通知信号を与えない設定にしていた場合、重要ではない通話を行っている間に、緊急の対応を要する重要な電話がかかってきた場合でも、その重要ではない通話を終了するまでは、重要な電話がかかってきたことさえ知ることができない。
【００１４】
また、電話をかけた先が「キャッチホン」サービスを利用しており、なおかつ通話中であった場合、発信者は常に呼び出し音を聞き続けることになるため、相手先が不在であるのか、もしくは話中であるのか判断ができない。
【００１５】
本発明の目的は、電話通話中に着信情報が着信したとき、その着信情報を選択的に捕捉することができ、利便性が向上された電話装置を提供することである。
【課題を解決するための手段】
【００１６】
本発明は、デジタルデータ通信によって電話通話を行うためのデジタル通話回線を含む複数の通話回線に接続され、複数の通話回線を選択的に用いて電話通話を行う電話装置であって、
着信情報を捕捉する捕捉手段と、
着信情報を捕捉手段によって捕捉させるか否かの判断基準を示す判断基準情報が記憶される記憶手段と、
着信情報の発信元の相手または電話通話中の相手を示す相手情報を検出する検出手段と、
電話通話中にデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御する制御手段とを含むことを特徴とする電話装置である。
【００１７】
また本発明は、前記複数の通信回線には、公衆電話網を介して電話通話を行うためのアナログ通話回線が含まれ、
制御手段は、アナログ通話回線による電話通話中にデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御することを特徴とする。
【００１８】
また本発明は、前記複数の通話回線として、異なるデジタル通話回線に接続され、
制御手段は、第１のデジタル通話回線による電話通話中に第２のデジタル通話回線を介して着信情報が着信したとき、検出手段によって検出された相手情報および記憶手段に記憶される判断基準情報に基づいて、相手情報が判断基準情報を満たすとき、着信情報を捕捉させ、相手情報が判断基準情報を満たさないとき、着信情報を捕捉させないように捕捉手段を制御することを特徴とする。
【００１９】
また本発明は、着信情報の発信元の相手に対して予め定める応答情報を発信する応答手段をさらに含み、
制御手段は、相手情報が判断基準情報を満たさないとき、応答手段によって予め定める応答情報を発信させることを特徴とする。
【００２０】
また本発明は、前記予め定める応答情報は、任意に設定可能であることを特徴とする。
また本発明は、記憶手段に記憶される判断基準情報は、電話通話中であっても捕捉手段によって着信情報を捕捉させる１または複数の着信情報の発信元の相手を示す許可発信元相手情報を含み、
制御手段は、着信情報の発信元の相手を示す発信元相手情報が、許可発信元相手情報と一致するとき、相手情報が判断基準情報を満たすものとし、着信情報を捕捉させるように捕捉手段を制御することを特徴とする。
【００２１】
また本発明は、記憶手段に記憶される判断基準情報は、電話通話中は捕捉手段によって着信情報を捕捉させない１または複数の着信情報の発信元の相手を示す拒否発信元相手情報を含み、
制御手段は、着信情報の発信元の相手を示す発信元相手情報が、拒否発信元相手情報と一致するとき、相手情報が判断基準情報を満たさないものとし、着信情報を捕捉させないように捕捉手段を制御することを特徴とする。
【００２２】
また本発明は、記憶手段に記憶される判断基準情報は、電話通話中であっても捕捉手段によって着信情報を捕捉させる１または複数の電話通話中の相手を示す許可通話中相手情報を含み、
制御手段は、電話通話中の相手を示す通話中相手情報が、許可通話中相手情報と一致するとき、相手情報が判断基準情報を満たすものとし、着信情報を捕捉させるように捕捉手段を制御することを特徴とする。
【００２３】
また本発明は、記憶手段に記憶される判断基準情報は、電話通話中は捕捉手段によって着信情報を捕捉させない１または複数の電話通話中の相手を示す拒否通話中相手情報を含み、
制御手段は、電話通話中の相手を示す通話中相手情報が、拒否通話中相手情報と一致するとき、相手情報が判断基準情報を満たさないものとし、着信情報を捕捉させないように捕捉手段を制御することを特徴とする。
【００２４】
また本発明は、記憶手段に記憶される判断基準情報は、予め定められる複数の相手のそれぞれの優先度および前記予め定められる複数の相手以外の相手の優先度を示す優先度情報を含み、
制御手段は、着信情報の発信元の相手に関する優先度情報と電話通話中の相手に関する優先度情報とを用いて、各相手の優先度を比較して、相手情報が判断基準情報を満たすとき、着信情報を捕捉させ、相手情報が判断基準情報を満たさないとき、着信情報を捕捉させないように捕捉手段を制御することを特徴とする。
【００２５】
また本発明は、制御手段は、着信情報の発信元の相手の優先度が電話通話中の相手の優先度よりも高いとき、相手情報が判断基準情報を満たすものとし、着信情報を捕捉させるように捕捉手段を制御することを特徴とする。
【００２６】
また本発明は、制御手段は、着信情報の発信元の相手の優先度が電話通話中の相手の優先度よりも低いとき、相手情報が判断基準情報を満たさないものとし、着信情報を捕捉させないように捕捉手段を制御することを特徴とする。
【００２７】
また本発明は、制御手段は、着信情報の発信元の相手の優先度と電話通話中の相手の優先度とが等しいとき、相手情報が判断基準情報を満たすものとし、着信情報を捕捉させるように捕捉手段を制御することを特徴とする。
【００２８】
また本発明は、制御手段は、着信情報の発信元の相手の優先度と電話通話中の相手の優先度とが等しいとき、相手情報が判断基準情報を満たさないものとし、着信情報を捕捉させないように捕捉手段を制御することを特徴とする。
【００２９】
また本発明は、電話通話中にデジタル通話回線を介して着信情報が着信したときに着信情報を捕捉手段によって捕捉させるか否かを指示する指示情報が入力される入力手段をさらに含み、
制御手段は、入力手段によって指示情報が入力されたとき、前記指示情報に基づいて、着信情報を捕捉手段によって捕捉させるか否かを判断することを特徴とする。
【００３０】
また本発明は、着信情報を捕捉手段によって捕捉させるか否かの判断結果を通知する通知手段をさらに含み、
制御手段は、着信情報を捕捉手段によって捕捉させるか否かを判断したとき、通知手段によって判断結果を通知させることを特徴とする。
【００３１】
また本発明は、着信情報を捕捉手段によって捕捉させるか否かの判断結果を通知する通知手段をさらに含み、
制御手段は、着信情報を捕捉手段によって捕捉させると判断したとき、通知手段によって判断結果を通知させ、着信情報を捕捉手段によって捕捉させないと判断したとき、通知手段によって判断結果を通知させないことを特徴とする。
【発明の効果】
【００３２】
本発明によれば、制御手段は、電話通話中にデジタル通話回線を介して着信情報が着信したとき、着信情報を捕捉手段によって捕捉させるか否かを判断する。この判断は、検出手段によって検出された相手情報および記憶手段に記憶される判断基準情報に基づいて行われる。制御手段は、相手情報が判断基準情報を満たすとき、着信情報を捕捉させ、相手情報が判断基準情報を満たさないとき、着信情報を捕捉させないように捕捉手段を制御する。
【００３３】
このように制御手段は、着信情報の発信元の相手または電話通話中の相手に応じて、捕捉手段によって着信情報を捕捉させたり、捕捉手段によって着信情報を捕捉させなかったりすることができる。これによって操作者は、着信情報を捕捉するべきか否かについて悩まされることがなく、電話装置を快適に使用することができる。このように使い勝手を向上させ、利便性を向上させることができる。
【００３４】
また本発明によれば、制御手段は、アナログ通話回線による電話通話中にデジタル通話回線を介して着信情報が着信したとき、着信情報を捕捉手段によって捕捉させるか否かを判断する。この判断は、検出手段によって検出された相手情報および記憶手段に記憶される判断基準情報に基づいて行われる。制御手段は、相手情報が判断基準情報を満たすとき、着信情報を捕捉させ、相手情報が判断基準情報を満たさないとき、着信情報を捕捉させないように捕捉手段を制御する。
【００３５】
このように制御手段は、着信情報の発信元の相手または電話通話中の相手に応じて、捕捉手段によって着信情報を捕捉させたり、捕捉手段によって着信情報を捕捉させなかったりすることができる。したがってデジタル通話回線だけでなくアナログ通話回線にも接続される場合であっても、利便性を向上させることができる。
【００３６】
また本発明によれば、制御手段は、第１のデジタル通話回線による電話通話中に第２のデジタル通話回線を介して着信情報が着信したとき、着信情報を捕捉手段によって捕捉させるか否かを判断する。この判断は、検出手段によって検出された相手情報および記憶手段に記憶される判断基準情報に基づいて行われる。制御手段は、相手情報が判断基準情報を満たすとき、着信情報を捕捉させ、相手情報が判断基準情報を満たさないとき、着信情報を捕捉させないように捕捉手段を制御する。
【００３７】
このように制御手段は、着信情報の発信元の相手または電話通話中の相手に応じて、捕捉手段によって着信情報を捕捉させたり、捕捉手段によって着信情報を捕捉させなかったりすることができる。したがって異なるデジタル通話回線に接続される場合であっても、利便性を向上させることができる。
【００３８】
また本発明によれば、制御手段は、応答手段によって予め定める応答情報を着信情報の発信元に対して発信させる。したがって相手情報が判断基準情報を満たさないとき、着信情報の発信元の相手は、予め定める応答情報を受けることができる。
【００３９】
また本発明によれば、予め定める応答情報は、任意に設定可能であるので、操作者は、自身の判断で、予め定める応答情報を設定することができる。これによって着信情報の発信元の相手に対して、分かりやすい応答を返すことができる。したがって利便性を向上させることができる。
【００４０】
また本発明によれば、記憶手段には、判断基準情報として、電話通話中であっても捕捉手段によって着信情報を捕捉させる１または複数の着信情報の発信元の相手を示す許可発信元相手情報が記憶される。制御手段は、着信情報の発信元の相手を示す発信元相手情報が、許可発信元相手情報と一致するとき、相手情報が判断基準情報を満たすとして、捕捉手段によって着信情報を捕捉させる。したがって電話通話中であっても着信情報を捕捉して欲しい着信情報の発信元の相手を、許可発信元相手情報として記憶手段に記憶させておくことによって、電話通話中であってもその相手からの着信情報を捕捉することができるので、利便性を向上させることができる。
【００４１】
また本発明によれば、記憶手段には、判断基準情報として、電話通話中は捕捉手段によって着信情報を捕捉させない１または複数の着信情報の発信元の相手を示す拒否発信元相手情報が記憶される。制御手段は、着信情報の発信元を示す発信元相手情報が、拒否発信元相手情報と一致するとき、相手情報が判断基準情報を満たさないとして、捕捉手段によって着信情報を捕捉させない。したがって電話通話中は着信情報を捕捉して欲しくない着信情報の発信元の相手を、拒否発信元相手情報として記憶手段に記憶させておくことによって、電話通話中はその相手からの着信情報を捕捉しないようにすることができるので、利便性を向上させることができる。
【００４２】
また本発明によれば、記憶手段には、判断基準情報として、電話通話中であっても捕捉手段によって着信情報を捕捉させる１または複数の電話通話中の相手を示す許可通話中相手情報が記憶される。制御手段は、電話通話中の相手を示す通話中相手情報が、許可通話中相手情報と一致するとき、相手情報が判断基準情報を満たすとして、捕捉手段によって着信情報を捕捉させる。したがって電話通話中に着信情報を捕捉しても構わない電話通話中の相手を、許可通話中相手情報として記憶手段に記憶させておくことによって、その相手と電話通話中であっても着信した着信情報を捕捉することができるので、利便性を向上させることができる。
【００４３】
また本発明によれば、記憶手段には、判断基準情報として、電話通話中は捕捉手段によって着信情報を捕捉させない１または複数の電話通話中の相手を示す拒否通話中相手情報が記憶される。制御手段は、電話通話中の相手を示す通話中相手情報が、拒否通話中相手情報と一致するとき、相手情報が判断基準情報を満たさないとして、捕捉手段によって着信情報を捕捉させない。したがって電話通話中は着信情報を捕捉して欲しくない電話通話中の相手を、拒否通話中相手情報として記憶手段に記憶させておくことによって、その相手と電話通話中は着信した着信情報を捕捉しないようにすることができるので、利便性を向上させることができる。
【００４４】
また本発明によれば、記憶手段には、判断基準情報として、予め定められる複数の相手のそれぞれの優先度および前記予め定められる複数の相手以外の相手の優先度を示す優先度情報が記憶される。制御手段は、着信情報の発信元の相手に関する優先度情報と電話通話中の相手に関する優先度情報とを用いて、各相手の優先度を比較して、相手情報が判断基準情報を満たすか否かを判断する。優先度の比較は、明示的に優先度が設定されている相手だけでなく、明示的に優先度が設定されていない相手でも可能である。すなわち、いかなる相手でも優先度の比較が可能となっている。したがって利便性を向上させることができる。
【００４５】
また本発明によれば、制御手段は、着信情報の発信元の相手の優先度が電話通話中の相手の優先度よりも高いとき、相手情報が判断基準情報を満たすとして、捕捉手段によって着信情報を捕捉させ、それ以外のときは、捕捉手段によって着信情報を捕捉させない。したがって操作者は、重要な相手との通話中に、重要でない相手からの電話がかかってきたときは、より重要な相手との通話を妨げられることなく継続することができる。一方、重要でない相手との通話中に、より重要な相手からの電話がかかってきたときは、重要でない相手との通話に割り込んで、より重要な相手からの電話に応答することができる。これによって利便性を向上させることができる。
【００４６】
また本発明によれば、制御手段は、着信情報の発信元の相手の優先度が電話通話中の相手の優先度よりも低いとき、相手情報が判断基準情報を満たさないとして、捕捉手段によって着信情報を捕捉させず、それ以外のときは、捕捉手段によって着信情報を捕捉させる。したがって操作者は、重要な相手との通話中に、重要でない相手からの電話がかかってきたときは、より重要な相手との通話を妨げられることなく継続することができる。一方、重要でない相手との通話中に、より重要な相手からの電話がかかってきたときは、重要でない相手との通話に割り込んで、より重要な相手からの電話に応答することができる。これによって利便性を向上させることができる。
【００４７】
また本発明によれば、制御手段は、着信情報の発信元の相手の優先度と電話通話中の相手の優先度とが等しいとき、相手情報が判断基準情報を満たすとして、捕捉手段によって着信情報を捕捉させる。したがって操作者は、通話中に、通話中の相手と同一の優先度の相手からの電話がかかってきたときは、通話に割り込んで、かかってきた電話に応答することができる。これによって利便性を向上させることができる。
【００４８】
また本発明によれば、制御手段は、着信情報の発信元の相手の優先度と電話通話中の相手の優先度とが等しいとき、相手情報が判断基準情報を満たさないとして、捕捉手段によって着信情報を捕捉させない。したがって操作者は、通話中に、通話中の相手と同一の優先度の相手からの電話がかかってきたときは、通話中の相手との通話を妨げられることなく継続することができる。これによって利便性を向上させることができる。
【００４９】
また本発明によれば、制御手段は、入力手段によって指示情報が入力されたとき、前記指示情報に基づいて、着信情報を捕捉手段によって捕捉させるか否かを判断する。したがって操作者は、電話通話中に着信情報が着信したときの着信情報の扱いを、自ら決定することできる。これによって利便性を向上させることができる。
【００５０】
また本発明によれば、制御手段は、着信情報を捕捉手段によって捕捉させるか否かを判断したとき、通知手段によって判断結果を通知させる。したがって電話通話中に着信情報が着信したときの着信情報の扱いを操作者が知ることができる。これによって利便性を向上させることができる。
【００５１】
また本発明によれば、制御手段は、着信情報を捕捉手段によって捕捉させると判断したとき、通知手段によって判断結果を通知させ、着信情報を捕捉手段によって捕捉させないと判断したとき、通知手段によって判断結果を通知させない。したがって捕捉させないと判断したときは、操作者を煩わさないようにすることができるので、利便性を向上させることができる。
【発明を実施するための最良の形態】
【００５２】
図１は、本発明の実施の一形態の電話装置１が備える電話制御部２によって実行される捕捉判断処理を説明するためのフローチャートである。電話装置１は、ＶｏＩＰ（Voice
Over Internet Protocol）によってＩＰネットワークまたはインターネットを介した電話通話を行うことができ、かつＰＳＴＮ回線網を介した電話通話も行うことができるＶｏＩＰ電話機である。
【００５３】
電話装置１は、電話通話中に着信情報が着信したとき、着信情報の発信元の相手を示す発信元相手情報および電話通話中の相手を示す通話中相手情報を用いて、着信情報を捕捉するか否かを判断することができる。本実施の形態において、着信情報を捕捉するとは、着信情報の発信元の相手と通話を確立するための処理を開始することをいう（後述の図７参照）。
【００５４】
図２は、電話装置１の電気的構成を示すブロック図である。電話装置１には、ＡＤＳＬ
（Asymmetric Digital Subscriber Line）技術によってブロードバンド化されたＰＳＴＮ（Public Switched Telephone Network）の加入者線３が接続される。
【００５５】
加入者線３の信号は、デジタル通話回線としてのＡＤＳＬ回線４と、アナログ通話回線としてのＰＳＴＮ回線５とに分離される。ＡＤＳＬ回線４では、２チャネル分のデジタル通話回線を使用することができる。ＰＳＴＮ回線５では、１チャネル分のアナログ通話回線を使用することができる。各通話回線は、同時に使用することができる。このように電話装置１には、２つのデジタル通話回線と１つのアナログ通話回線とが接続され、それぞれ外線として電話通話に使用することができる。電話装置１は、各通話回線を選択的に用いて電話通話を行うことができる。
【００５６】
本実施の形態では、１本の物理的な接続線である加入者線３にて、アナログ通話回線と２つのデジタル通話回線とを収容することができるので、操作者が煩雑な接続作業を行わなくて済み、また部屋の外観を損ねることなく、電話装置１を設置することができる。
【００５７】
電話装置１は、スプリッタ６と、ＰＳＴＮ回線５を介したアナログ通話およびＡＤＳＬ回線４を介したデジタル通話の両者に共通に用いられる共通部分７と、アナログ通話のためのアナログ通話用部分８と、デジタル通話のためのデジタル通話用部分９とを含んで構成される。
【００５８】
スプリッタ６は、ＰＳＴＮ回線５の信号とＡＤＳＬ回線４の信号とを１つにまとめて加入者線３に与えるとともに、電話局から加入者線３を介して与えられる信号をＰＳＴＮ回線５の信号とＡＤＳＬ回線４の信号とに分離する。
【００５９】
共通部分７は、電話制御部２、ハンドセット１１、スピーカ１２、切換回路１３、音声メモリ１４、留守録ＤＳＰ（Digital Signal Processor）１５、使用回線判定部１６、メモリ１７、データ処理制御部１８、表示部１９、第１〜第４発光部２０〜２３、表示制御部２４、操作パネル２５、操作検出部２６および判断基準情報記憶部２７を有する。
【００６０】
電話制御部２は、制御手段であり、電話をかけたり、電話を受けたり、ダイヤルしたり、留守録応答をしたりするときの電話装置１の動作を制御する。ハンドセット１１は、受話器および送話器を有し、受話器によって音声信号を出力するとともに、送話器によって音声信号を入力する。スピーカ１２は、音声信号を出力する。
【００６１】
切換回路１３は、電話制御部２からの制御信号に応じて、信号経路の接続を切換える。切換回路１３は、後述のスピーチネットワーク３３、ＤＳＰ４４およびハンドセット１１から音声信号を入力し、またスピーチネットワーク３３、ＤＳＰ４４、ハンドセット１１およびスピーカ１２へ音声信号を出力するように信号経路の接続を切換える。
【００６２】
音声メモリ１４は、留守録機能を実現するために留守用件情報を記録するとともに、着信通知のための音声情報を記憶する。留守録ＤＳＰ１５は、留守用件情報および着信通知のための音声情報をデジタルで記録したり、再生したりする。使用回線判定部１６は、電話制御部２から与えられる電話番号について、ＰＳＴＮ回線５およびＡＤＳＬ回線４のどちらの回線を使用するかを判定し、判定結果を電話制御部２に与える。
【００６３】
メモリ１７は、発信記録および着信記録の情報、留守録応答時に受信した発信者電話番号およびその留守録応答時に使用された回線を示す情報などを記憶する。このメモリ１７には、電話通話中の相手を示す通話中相手情報が記憶される。データ処理制御部１８は、メモリ１７に情報を書き込むための制御を行う。またデータ処理制御部１８は、閲覧手段として機能し、メモリ１７に記憶される情報を読み込むための制御を行う。
【００６４】
表示部１９は、液晶表示装置（Liquid Crystal Display、略称ＬＣＤ）によって実現される。表示部１９は、文字列およびピクトグラムで情報を表示する。第１〜第４発光部２０〜２３は、発光ダイオード（Light Emitting Diode、略称ＬＥＤ）によって実現される。第１発光部２０は、ＶｏＩＰによる電話通話が可能なときに点灯する。第２発光部２１は、ＰＳＴＮ回線５によるアナログ通話回線を使用して電話の発着信が行われたときに点灯する。第３発光部２２は、ＡＤＳＬ回線４によるデジタル通話回線を使用して１通話目のＶｏＩＰ電話の発着信が行われたときに点灯する。第４発光部２３は、ＡＤＳＬ回線４によるデジタル通話回線を使用して２通話目のＶｏＩＰ電話の発着信が行われた時に点灯する。表示制御部２４は、表示部１９に各種の情報を表示するための制御を行うとともに、第１〜第４発光部２０〜２３の制御を行う。
【００６５】
操作パネル２５は、種々の操作ボタンが設けられる。操作検出部２６は、操作パネル２５を監視し、操作パネル２５が操作されるとその操作に対応する信号を電話制御部２に与える。
【００６６】
判断基準情報記憶部２７は、記憶手段であり、着信情報を後述のＶｏＩＰ制御部４３によって捕捉させるか否かの判断基準を示す判断基準情報が記憶される。判断基準情報記憶部２７には、判断基準情報として、拒否発信元相手情報、拒否通話中相手情報および優先度情報６１が記憶される。拒否発信元相手情報は、電話通話中はＶｏＩＰ制御部４３によって着信情報を捕捉させない１または複数の着信情報の発信元の相手を示す。拒否通話中相手情報は、電話通話中はＶｏＩＰ制御部４３によって着信情報を捕捉させない１または複数の電話通話中の相手を示す。優先度情報６１は、予め定められる複数の相手のそれぞれの優先度および前記予め定められる複数の相手以外の相手の優先度を示す（後述の図４参照）。
【００６７】
アナログ通話用部分８は、着信検出回路３１、回線捕捉回路３２、スピーチネットワーク３３、ダイヤル回路３４および発信者電話番号受信回路３５を有する。
【００６８】
着信検出回路３１は、ＰＳＴＮ回線５を介して与えられるＣＡＲ信号およびＩＲ信号を検出し、電話制御部２に信号を与える。ＣＡＲ信号は、起動信号であり、発信者電話番号通知サービスで発信者の電話番号を通知してくる前に与えられる信号である。電話装置１は、このＣＡＲ信号を受信すると回線を捕捉して発信者電話番号を受信する。ＩＲ信号は、着信を知らせるための着信鳴動信号である。電話装置１は、このＩＲ信号を受信するとスピーカ１２から呼出音を鳴らす。
【００６９】
回線捕捉回路３２は、ＰＳＴＮの加入者線３を閉結したり開放したりする。回線捕捉回路３２は、その状態を示す信号を、電話制御部２に与えることができる。スピーチネットワーク３３は、ＰＳＴＮ回線５を介して与えられる受話信号を切換回路１３に送るとともに、切換回路１３からの送話信号をＰＳＴＮの加入者線３に与える。またスピーチネットワーク３３は、ダイヤル回路３４が発信したＤＴＭＦ（Dual Tone Multi Frequency）信号を、ＰＳＴＮの加入者線３に与えるために回線捕捉回路３２に送る。
【００７０】
ダイヤル回路３４は、回線捕捉回路３２を開閉させてダイヤルパルスを発生させたり、ＤＴＭＦ信号をスピーチネットワーク３３に出力したりして、ＰＳＴＮの加入者線３に送出する。発信者電話番号受信回路３５は、相手情報を検出する検出手段として機能し、ＰＳＴＮの加入者線３から送られてくる発信者電話番号などを含む情報を受信復調して、相手情報である発信者電話番号を検出する。
【００７１】
デジタル通話用部分９は、ＡＤＳＬモデム４１、ＡＤＳＬ制御部４２、ＶｏＩＰ制御部４３、ＤＳＰ４４、ＤＳＰ制御部４５および発信者電話番号検出部４６を有する。
【００７２】
ＡＤＳＬモデム４１は、ＡＤＳＬ回線４を使用してデジタル信号を送受信するために、デジタル信号を変復調する。ＡＤＳＬ制御部４２は、ＡＤＳＬモデム４１を制御する。
【００７３】
ＶｏＩＰ制御部４３は、ＶｏＩＰによる電話通話を行うための呼制御、デジタル音声信号のＩＰパケット化処理、ＰＰＰ（Point-to-Point Protocol）セッションの確立およびＶｏＩＰサーバとの認証を行う。ＶｏＩＰ制御部４３は、着信情報を捕捉する捕捉手段として機能し、相手との通話を確立するための制御を行う。ＶｏＩＰ制御部４３は、応答手段として機能し、予め定める応答情報を発信する。前記予め定める応答情報は、電話通話中であることを示すビジー応答情報である。予め定める応答情報は、任意に設定可能である。なお、予め定める応答情報の種別の如何については、本発明で規定するものではない。
【００７４】
ＤＳＰ４４は、ＡＤＳＬ回線４からのデジタル音声信号を、アナログ音声信号に変換して、ハンドセット１１に与えるとともに、ハンドセット１１からのアナログ音声信号を、デジタル音声信号に変換して、ＡＤＳＬ回線４に与える。ＤＳＰ制御部４５は、ＤＳＰ４４を制御する。
【００７５】
発信者電話番号検出部４６は、相手情報を検出する検出手段として機能し、ＶｏＩＰ制御部４３から与えられる発信者電話番号などを含む情報を受信復調して、相手情報である発信者電話番号を検出する。
【００７６】
電話装置１の動作は、制御部５０によって制御される。制御部５０は、前述の電話制御部２、データ処理制御部１８、表示制御部２４、操作検出部２６、使用回線判定部１６、ＶｏＩＰ制御部４３、ＤＳＰ制御部４５、ＡＤＳＬ制御部４２、判断基準情報記憶部２７および発信者電話番号検出部４６を含んで構成される。
【００７７】
ＡＤＳＬ化された加入者線３を使用してＶｏＩＰによる電話通話を行うためには、ＩＳＰ（Internet Service Provider）が開設するＢＡＳ（Broadband Access Server）を介してインターネットに接続する必要がある。ＶｏＩＰによる電話通話を可能とするためには、ＡＤＳＬコネクションが物理的に接続され、ＢＡＳまでのＰＰＰセッションが確立し、ＶｏＩＰサーバの認証が取れていることが必要である。ＶｏＩＰ制御部４３は、電話制御部２に制御信号を送出すると、電話制御部２は、その制御信号に応答して、表示制御部２４によって第１発光部２０を制御させ、ＶｏＩＰによる電話通話が可能であるか否かを表示させる。
【００７８】
図３は、電話装置１の正面図である。電話装置１は、水平な設置面に設置され、その上部には、操作パネル２５が設けられる。操作パネル２５には、前記表示部１９および第１〜第４発光部２０〜２３が設けられる。操作パネル２５には、ダイヤルボタン５１、再ダイヤル／着信記録ボタン５２、キャッチボタン５３、キャッチ終了ボタン５４、保留ボタン５５、スピーカホン／発信ボタン５６、マルチファンクションキー５７などの種々の操作ボタンが設けられる。マルチファンクションキー５７の中央には、機能ボタン５８が設けられる。ダイヤルボタン５１は、電話番号などを入力するためのボタンであって、「０」〜「９」の数字、「＊」および「＃」の記号を入力するための複数のボタンを含む。
【００７９】
図４は、判断基準情報記憶部２７内に記憶される優先度情報６１の一例を示す図である。優先度情報６１は、優先度を示す情報６２と相手に関する情報６３とが関連付けられた情報である。
【００８０】
一例として述べると、優先度は、「１」〜「４」の４つに分けられ、優先度「１」が最も高く、優先度「４」が最も低い。優先度「１」〜「３」を示す各情報には、１または複数の相手の電話番号を示す情報がそれぞれ関連付けられて、登録されている。このようにして、予め定められる複数の相手のそれぞれの優先度が示される。優先度「４」を示す情報には、優先度「１」〜「３」を示す各情報のいずれにも関連付けられていない相手の電話番号であること、すなわち登録されていない相手の電話番号であることを示す情報が関連付けられる。このようにして、前記予め定められる複数の相手以外の相手の優先度が示される。
【００８１】
このような優先度情報６１が、図１に示す捕捉判断処理に用いられる。したがって、電話番号が登録されて明示的に優先度が設定されている相手だけでなく、電話番号が登録されず明示的に優先度が設定されていない相手でも、すなわちいかなる相手でも、優先度の比較が可能である。
【００８２】
図５は、電話通話が開始されたときの電話制御部２の動作を説明するためのフローチャートである。ステップｂ０で、電話制御部２は電話通話を開始すると、ステップｂ１に進む。
【００８３】
ステップｂ１では、電話制御部２は、電話通話中の相手を示す発信者電話番号である通話中相手情報を、発信者電話番号受信回路３５または発信者電話番号検出部４６から取得する。電話制御部２は、アナログ通話中は、発信者電話番号受信回路３５から通話中相手情報を取得し、デジタル通話中は、発信者電話番号検出部４６から通話中相手情報を取得する。
【００８４】
この後、電話制御部２は、データ処理制御部１８を駆動して、取得した通話中相手情報を、メモリ１７に記憶して、ステップｂ２に進む。電話制御部２は、通話中相手情報を取得することができなかったときは、データ処理制御部１８を駆動して、通話中相手情報を取得することができなかったことを示す未取得情報を、メモリ１７に記憶する。
【００８５】
ステップｂ２では、電話制御部２は、オンフックされたか否かを、操作検出部２６によって監視させる。オンフックされると、ステップｂ３に進む。ステップｂ３では、電話制御部２は、終話のための終話処理を行い、ステップｂ４に進む。ステップｂ４では、電話制御部２は電話通話を終了する。
【００８６】
図６は、電話通話中にＡＤＳＬ回線４を介して着信情報が着信したときの電話制御部２の動作を説明するためのフローチャートである。ステップｃ０で、電話制御部２は、ＰＳＴＮ回線５またはＡＤＳＬ回線４による電話通話中にＡＤＳＬ回線４を介して着信情報が着信すると、ステップｃ１に進む。
【００８７】
ステップｃ１では、電話制御部２は、発信者電話番号検出部４６によって着信情報の発信元の相手を示す発信者電話番号である発信元相手情報を検出させ、ステップｃ２に進む。
【００８８】
ステップｃ２では、電話制御部２は、図１に示す捕捉判断処理を実行して、着信情報をＶｏＩＰ制御部４３によって捕捉させるか否かを判断する。捕捉させると判断したとき、ステップｃ３に進み、捕捉させないと判断したとき、ステップｃ７に進む。
【００８９】
ステップｃ３では、電話制御部２は、着信情報を捕捉させるようにＶｏＩＰ制御部４３を制御する。この後、電話制御部２は、切換回路１３を駆動して、留守録ＤＳＰ１５とハンドセット１１の音声経路を接続する。そして電話制御部２は、留守録ＤＳＰ１５を駆動して、着信通知のための音声情報を、音声メモリ１４から読出す。ハンドセット１１の受話器からは、着信通知のための音声情報が表す音声信号が電話通話による受話信号に重畳されて出力される。これによって操作者に着信が通知される。
【００９０】
次のステップｃ４では、電話制御部２は、電話通話を切り替えるための通話切替操作が行われたか否かを監視する。具体的には、電話制御部２は、キャッチボタン５３が押下されたか否かを、操作検出部２６によって監視する。キャッチボタン５３が押下されると、ステップｃ５に進み、キャッチボタン５３が押下されなければ、ステップｃ６に進み、電話制御部２は、電話通話中の相手との電話通話を継続する。
【００９１】
ステップｃ５では、電話制御部２は、ＶｏＩＰ制御部４３を駆動して、電話通話を切り替えて、ステップｃ６に進み、電話制御部２は、着信情報の発信元の相手との電話通話を行う。電話制御部２は、電話通話中であった相手に対する回線は捕捉したまま、その電話通話を遮断する保留状態に移行して、着信情報の発信元の相手に対して応答することができる。なお、前記着信情報の発信元の相手との電話通話中にキャッチ終了ボタン５４が押下されると、電話制御部２は、その相手との電話通話を終了し、保留状態になっている最初の相手との電話通話を再開することができる。
【００９２】
ステップｃ７では、電話制御部２は、着信情報を捕捉させないようにＶｏＩＰ制御部４３を制御する。また電話制御部２は、ＶｏＩＰ制御部４３によって、ビジー応答情報を、着信情報の発信元の相手に対して発信させ、ステップｃ６に進み、電話制御部２は、電話通話中の相手との電話通話を継続する。
【００９３】
図７および図８は、ＶｏＩＰによる電話通話を行うための呼制御の一例を示すシーケンス図であり、図７は電話装置１が着信情報を捕捉する場合を示し、図８は電話装置１が着信情報を捕捉しない場合を示す。図７および図８ともに、ＶｏＩＰによる電話通話を行うための呼制御のうち、本実施の形態の説明に必要な部分を記載している。ここでは、ＶｏＩＰ呼制御プロトコルとして、ＳＩＰ（Session Initiation Protocol）が用いられることを想定して説明する。
【００９４】
まず、発信側となる他の電話装置から、着信側となる本実施の形態の電話装置１に、呼制御情報として、呼を設定するためのＩＮＶＩＴＥメソッド７１が送信される。この呼制御情報のメッセージ内容７２には、“Ｆｒｏｍ”で始まる行であるＦｒｏｍヘッダーフィールドにおいて、発信元相手情報である発信者電話番号が含まれる。本実施の形態の電話装置１は、他の電話装置からのＩＮＶＩＴＥメソッド７１を受信すると、すなわち着信情報が着信すると、それに対して応答する。
【００９５】
着信情報を捕捉する場合、本実施の形態の電話装置１は、着信情報を捕捉したことを示す情報、具体的には通話を確立するための処理として着信通知のための呼出処理を開始したことを示す情報、さらに具体的にはステータスコード「１８０」のＲｉｎｇｉｎｇという呼制御情報７３を、他の電話装置に送信する。この後、本実施の形態の電話装置１および他の電話装置で、通話を確立するための処理が続けて行われる。
【００９６】
着信情報を捕捉しない場合、本実施の形態の電話装置１は、着信情報を捕捉しないことを示す情報、具体的には着信情報を捕捉しない理由として話中であることを示すビジー応答情報、さらに具体的にはステータスコード「４８６」のＢｕｓｙ  Ｈｅｒｅという呼制御情報７４を、他の電話装置に送信する。この後、他の電話装置で、本実施の形態の電話装置１が話中である場合の処理が行われる。
【００９７】
図１を再び参照して、電話制御部２は、電話通話中にＡＤＳＬ回線４を介して着信情報が着信したとき、発信者電話番号受信回路３５または発信者電話番号検出部４６によって検出された相手情報と、判断基準情報記憶部２７に記憶される判断基準情報とに基づいて、着信情報をＶｏＩＰ制御部４３によって捕捉させるか否かを判断する。電話制御部２は、相手情報が判断基準情報を満たすとき、ＶｏＩＰ制御部４３によって着信情報を捕捉させ、相手情報が判断基準情報を満たさないとき、ＶｏＩＰ制御部４３によって着信情報を捕捉させない。
【００９８】
具体的に述べると、ステップａ０で、電話制御部２は、捕捉判断処理を開始して、ステップａ１に進む。ステップａ１では、電話制御部２は、データ処理制御部１８を駆動して、通話中相手情報を、メモリ１７から取得する。電話制御部２は、通話中相手情報を取得すると、ステップａ２に進む。電話制御部２は、通話中相手情報をメモリ１７から取得することができなかったとき、すなわち未取得情報をメモリ１７から取得したとき、ステップａ３に進む。
【００９９】
ステップａ２では、電話制御部２は、判断基準情報記憶部２７に記憶される拒否通話中相手情報を検索して、通話中相手情報が拒否通話中相手情報に設定されているか否かを判断する。換言すると、電話制御部２は、取得した通話中相手情報が、判断基準情報記憶部２７に記憶される拒否通話中相手情報と一致するか否かを判断する。一致するとき、ステップａ７に進む。一致しないとき、ステップａ３に進む。
【０１００】
ステップａ３では、電話制御部２は、発信元相手情報を、発信者電話番号検出部４６から取得する。電話制御部２は、発信元相手情報を取得すると、ステップａ４に進む。電話制御部２は、発信元相手情報を取得することができなかったとき、ステップａ６に進む。
【０１０１】
ステップａ４では、電話制御部２は、判断基準情報記憶部２７に記憶される拒否発信元相手情報を検索して、発信元相手情報が拒否発信元相手情報に設定されているか否かを判断する。換言すると、電話制御部２は、取得した発信元相手情報が、判断基準情報記憶部２７に記憶される拒否発信元相手情報と一致するか否かを判断する。一致するとき、ステップａ７に進む。一致しないとき、ステップａ５に進む。
【０１０２】
ステップａ５では、電話制御部２は、判断基準情報記憶部２７に記憶される優先度情報６１に基づいて、着信情報の発信元の相手に関する優先度情報６１と電話通話中の相手に関する優先度情報６１とを取得する。電話制御部２は、各相手に関する優先度情報６１を用いて、各相手の優先度を比較する。着信情報の発信元の相手の優先度が、電話通話中の相手の優先度よりも高いとき、または着信情報の発信元の相手の優先度と電話通話中の相手の優先度とが等しいとき、ステップａ６に進む。着信情報の発信元の相手の優先度が、電話通話中の相手の優先度よりも低いとき、ステップａ７に進む。
【０１０３】
ステップａ６では、電話制御部２は、相手情報が判断基準情報を満たすとして、着信情報をＶｏＩＰ制御部４３によって捕捉させることを決定する。そして電話制御部２は、捕捉判断処理を終了する。
【０１０４】
ステップａ７では、電話制御部２は、相手情報が判断基準情報を満たさないとして、着信情報をＶｏＩＰ制御部４３によって捕捉させないことを決定する。そして電話制御部２は、捕捉判断処理を終了する。
【０１０５】
本実施の形態では、従来からのＡＣＲ（Auto Cost Routing）機能およびＬＣＲ（Least
Cost Routing）機能のような電話番号にて通話料金を判定する機能を用いて、最適な通話回線を選択するようにしている。ただし、たとえばＡＣＲ機能などがなくても、自局電話番号を記憶することができるようにしておき、入力された電話番号および自局電話番号とを比較し、通話先までの距離が、たとえば市内であるか市外であるかを判断してＰＳＴＮ通話かＶｏＩＰ通話かを選択することによって、最適な通話回線を選択することも可能である。また、インターネットなどの情報通信ネットワーク上で提供される通話料金情報を取得することによって通話回線を選択したり、ネットワーク上のサーバにて最適な回線を判断させた結果を元に選択したりすることも可能である。本発明は、最適な通話回線を選択する手段および方法を限定するものではない。
【０１０６】
以上のような本実施の形態によれば、電話制御部２は、電話通話中にＡＤＳＬ回線４を介して着信情報が着信したとき、着信情報をＶｏＩＰ制御部４３によって捕捉させるか否かを判断する。この判断は、発信者電話番号受信回路３５および発信者電話番号検出部４６によって検出された相手情報と、判断基準情報記憶部２７に記憶される判断基準情報とに基づいて行われる。電話制御部２は、相手情報が判断基準情報を満たすとき、着信情報を捕捉させ、相手情報が判断基準情報を満たさないとき、着信情報を捕捉させないようにＶｏＩＰ制御部４３を制御する。
【０１０７】
このように電話制御部２は、着信情報の発信元の相手または電話通話中の相手に応じて、ＶｏＩＰ制御部４３によって着信情報を捕捉させたり、ＶｏＩＰ制御部４３によって着信情報を捕捉させなかったりすることができる。これによって操作者は、着信情報を捕捉するべきか否かについて悩まされることがなく、電話装置１を快適に使用することができる。このように使い勝手を向上させ、利便性を向上させることができる。
【０１０８】
また本実施の形態によれば、電話制御部２は、ＰＳＴＮ回線５による電話通話中にＡＤＳＬ回線４を介して着信情報が着信したとき、着信情報をＶｏＩＰ制御部４３によって捕捉させるか否かを判断する。このようにＡＤＳＬ回線４だけでなくＰＳＴＮ回線５にも接続される場合であっても、利便性を向上させることができる。
【０１０９】
また本実施の形態によれば、電話制御部２は、ＶｏＩＰ制御部４３によって予め定める応答情報としてビジー応答情報を、着信情報の発信元に対して発信させる。したがって相手情報が判断基準情報を満たさないとき、着信情報の発信元の相手は、ビジー応答情報を受けることができる。
【０１１０】
また本実施の形態によれば、予め定める応答情報は、任意に設定可能であるので、操作者は、自身の判断で、予め定める応答情報を設定することができる。これによって着信情報の発信元の相手に対して、分かりやすい応答を返すことができる。
【０１１１】
また本実施の形態によれば、判断基準情報記憶部２７には、判断基準情報として、電話通話中はＶｏＩＰ制御部４３によって着信情報を捕捉させない１または複数の着信情報の発信元の相手を示す拒否発信元相手情報が記憶される。電話制御部２は、着信情報の発信元を示す発信元相手情報が、拒否発信元相手情報と一致するとき、相手情報が判断基準情報を満たさないとして、ＶｏＩＰ制御部４３によって着信情報を捕捉させない。したがって電話通話中は着信情報を捕捉して欲しくない着信情報の発信元の相手を、拒否発信元相手情報として判断基準情報記憶部２７に記憶させておくことによって、電話通話中はその相手からの着信情報を捕捉しないようにすることができる。
【０１１２】
また本実施の形態によれば、判断基準情報記憶部２７には、判断基準情報として、電話通話中はＶｏＩＰ制御部４３によって着信情報を捕捉させない１または複数の電話通話中の相手を示す拒否通話中相手情報が記憶される。電話制御部２は、電話通話中の相手を示す通話中相手情報が、拒否通話中相手情報と一致するとき、相手情報が判断基準情報を満たさないとして、ＶｏＩＰ制御部４３によって着信情報を捕捉させない。したがって電話通話中は着信情報を捕捉して欲しくない電話通話中の相手を、拒否通話中相手情報として判断基準情報記憶部２７に記憶させておくことによって、その相手と電話通話中は着信した着信情報を捕捉しないようにすることができる。
【０１１３】
また本実施の形態によれば、判断基準情報記憶部２７には、判断基準情報として、予め定められる複数の相手のそれぞれの優先度および前記予め定められる複数の相手以外の相手の優先度を示す優先度情報６１が記憶される。電話制御部２は、着信情報の発信元の相手に関する優先度情報６１と電話通話中の相手に関する優先度情報６１とを用いて、各相手の優先度を比較して、相手情報が判断基準情報を満たすか否かを判断する。
【０１１４】
具体的に述べると、電話制御部２は、着信情報の発信元の相手の優先度が電話通話中の相手の優先度よりも高いとき、または前記各相手の優先度が等しいとき、ＶｏＩＰ制御部４３によって着信情報を捕捉させる。電話制御部２は、着信情報の発信元の相手の優先度が電話通話中の相手の優先度よりも低いとき、ＶｏＩＰ制御部４３によって着信情報を捕捉させない。したがって操作者は、重要な相手との通話中に、重要でない相手からの電話がかかってきたときは、より重要な相手との通話を妨げられることなく継続することができる。一方、重要でない相手との通話中に、より重要な相手からの電話がかかってきたときは、重要でない相手との通話に割り込んで、より重要な相手からの電話に応答することができる。これによって利便性を向上させることができる。また操作者は、通話中に、通話中の相手と同一の優先度の相手からの電話がかかってきたときは、通話に割り込んで、かかってきた電話に応答することができる。
【０１１５】
前述の実施の形態は、本発明の例示に過ぎず、本発明の範囲内において構成を変更することができる。前述の実施の形態では、捕捉判断処理では、まず、電話通話中の相手を示す通話中相手情報を、次に、着信情報の発信元の相手を示す発信元相手情報を、この後、前記各相手情報を用いて、３段階で、着信情報をＶｏＩＰ制御部４３によって捕捉させるか否かを判断するけれども、捕捉判断処理は、これに限定されるものではない。
【０１１６】
たとえば、電話制御部２は、相手情報のうち通話中相手情報だけを用いて、電話通話中の相手を示す通話中相手情報が、拒否通話中相手情報と一致するとき、ＶｏＩＰ制御部４３によって着信情報を捕捉させないと判断し、一致しないとき、ＶｏＩＰ制御部４３によって着信情報を捕捉させると判断してもよい。また電話制御部２は、相手情報のうち発信元相手情報だけを用いて、発信元相手情報が、拒否発信元相手情報と一致するとき、ＶｏＩＰ制御部４３によって着信情報を捕捉させないと判断し、一致しないとき、ＶｏＩＰ制御部４３によって着信情報を捕捉させると判断してもよい。また、電話制御部２は、通話中相手情報および発信元相手情報のどちらか一方を用いた前述のような判断を行うことなく、両者を用いて、各相手の優先度を比較して、ＶｏＩＰ制御部４３によって着信情報を捕捉させるか否かを判断してもよい。
【０１１７】
前述の実施の形態では、電話制御部２は、各相手の優先度を比較して、ＶｏＩＰ制御部４３によって着信情報を捕捉させるか否かを判断するにあたって、各相手の優先度が等しいときは、着信情報をＶｏＩＰ制御部４３によって捕捉させると判断するけれども、ＶｏＩＰ制御部４３によって着信情報を捕捉させないと判断してもよい。この場合、操作者は、通話中に、通話中の相手と同一の優先度の相手からの電話がかかってきたときは、通話中の相手との通話を妨げられることなく継続することができる。
【０１１８】
判断基準情報記憶部２７には、判断基準情報として、電話通話中であってもＶｏＩＰ制御部４３によって着信情報を捕捉させる１または複数の着信情報の発信元の相手を示す許可発信元相手情報が記憶され、電話制御部２は、発信元相手情報が、許可発信元相手情報と一致するとき、ＶｏＩＰ制御部４３によって着信情報を捕捉させてもよい。この場合、電話通話中であっても着信情報を捕捉して欲しい着信情報の発信元の相手を、許可発信元相手情報として判断基準情報記憶部２７に記憶させておくことによって、電話通話中であってもその相手からの着信情報を捕捉することができる。
【０１１９】
判断基準情報記憶部２７には、判断基準情報として、電話通話中であってもＶｏＩＰ制御部４３によって着信情報を捕捉させる１または複数の電話通話中の相手を示す許可通話中相手情報が記憶され、電話制御部２は、通話中相手情報が、許可通話中相手情報と一致するとき、ＶｏＩＰ制御部４３によって着信情報を捕捉させてもよい。この場合、電話通話中に着信情報を捕捉しても構わない電話通話中の相手を、許可通話中相手情報として判断基準情報記憶部２７に記憶させておくことによって、その相手と電話通話中であっても着信した着信情報を捕捉することができる。
【０１２０】
操作パネル２５には、電話通話中にＡＤＳＬ回線４を介して着信情報が着信したときに着信情報をＶｏＩＰ制御部４３によって捕捉させるか否かを指示する指示情報が入力される入力手段である捕捉判断入力ボタンが設けられてもよい。電話制御部２は、捕捉判断入力ボタンによって指示情報が入力されたとき、前記指示情報に基づいて、着信情報をＶｏＩＰ制御部４３によって捕捉させるか否かを判断する。この場合、操作者は、電話通話中に着信情報が着信したときの着信情報の扱いを、自ら決定することできる。
【０１２１】
表示部１９は、着信情報をＶｏＩＰ制御部４３によって捕捉させるか否かの判断結果を通知する通知手段として用いられ、電話制御部２は、着信情報をＶｏＩＰ制御部４３によって捕捉させるか否かを判断したとき、表示部１９によって判断結果を通知させてもよい。この場合、電話通話中に着信情報が着信したときの着信情報の扱いを操作者が知ることができる。
【０１２２】
表示部１９は、着信情報をＶｏＩＰ制御部４３によって捕捉させるか否かの判断結果を通知する通知手段として用いられ、電話制御部２は、着信情報をＶｏＩＰ制御部４３によって捕捉させると判断したとき、表示部１９によって判断結果を通知させ、着信情報をＶｏＩＰ制御部４３によって捕捉させないと判断したとき、表示部１９によって判断結果を通知させないようにしてもよい。この場合、捕捉させないと判断したときは、操作者を煩わさないようにすることができる。
【０１２３】
前述の実施の形態では、電話通話中に着信情報が捕捉されたとき、電話装置１の操作者だけに対して着信が通知されるとしたけれども、電話通話中の相手にも着信が通知されてもよい。また着信の通知は、音声ではなく、表示部１９による表示によって行われてもよい。着信の通知は、いかなる通知手段によって行われてもよい。さらに着信の通知がまったくなくてもよい。
【０１２４】
前述の実施の形態では、ＶｏＩＰによる電話通話を行うための呼制御の一例として、２つの電話装置が互いに直接、呼制御情報を送受信するとしたけれども、２つの電話装置は、呼制御情報を中継するプロキシーサーバー等の１または複数の中継機器を介して呼制御情報を送受信してもよい。またＶｏＩＰ呼制御プロトコルは、ＳＩＰを想定したけれども、これに限定されるものではない。
【０１２５】
電話装置１は、単一の接続線である加入者線３に接続されるけれども、複数の接続線に接続されてもよい。電話装置１は、ＰＳＴＮおよびＩＳＤＮの加入者線３に接続されてもよい。電話装置１は、ＦＴＴＨ（Fiber To The Home）およびＣＡＴＶ（CAble
TeleVision）などのブロードバンド化された接続線に接続されてもよい。電話装置１は、データ通信専用の通信線に接続されてもよい。
【図面の簡単な説明】
【０１２６】
【図１】本発明の実施の一形態の電話装置１が備える電話制御部２によって実行される捕捉判断処理を説明するためのフローチャートである。
【図２】電話装置１の電気的構成を示すブロック図である。
【図３】電話装置１の正面図である。
【図４】判断基準情報記憶部２７内に記憶される優先度情報６１の一例を示す図である。
【図５】電話通話が開始されたときの電話制御部２の動作を説明するためのフローチャートである。
【図６】電話通話中にＡＤＳＬ回線４を介して着信情報が着信したときの電話制御部２の動作を説明するためのフローチャートである。
【図７】ＶｏＩＰによる電話通話を行うための呼制御であって、着信情報を捕捉する場合の呼制御の一例を示すシーケンス図である。
【図８】ＶｏＩＰによる電話通話を行うための呼制御であって、着信情報を捕捉しない場合の呼制御の一例を示すシーケンス図である。
【符号の説明】
【０１２７】
１  電話装置
２  電話制御部
２７  判断基準情報記憶部
３５  発信者電話番号受信回路
４３  ＶｏＩＰ制御部
４６  発信者電話番号検出部
【図１】
2006080881.tif 000003
【図２】
2006080881.tif 000004
【図３】
2006080881.tif 000005
【図４】
2006080881.tif 000006
【図５】
2006080881.tif 000007
【図６】
2006080881.tif 000008
【図７】
2006080881.tif 000009
【図８】
2006080881.tif 000010